(57)【要約】【課題】外部記録メディアにライトワンスメディアを用いた際、煩雑な操作を行うことなく、ライトワンスメディアに適合した撮影設定を行う。【解決手段】撮像装置には、撮影の結果得られた画像データが記録される外部記録メディアが装着される。撮像装置は外部記録メディアが装着された際、外部記録メディアの特性を確認してメディア特性情報を得る。そして、撮像装置は、メディア特性情報が書き換えに制限が設けられたライトワンスメディアであることを示していると、ライトワンスメディアに適合する状態に撮像装置における撮影設定を変更する。【選択図】図２
2014197797.tif 000002
【特許請求の範囲】
【請求項１】
撮影の結果得られた画像データが記録される外部記録メディアが装着される撮像装置において、
前記外部記録メディアが装着された際、前記外部記録メディアの特性を確認してメディア特性情報を得る確認手段と、
前記メディア特性情報が書き換えに制限が設けられた書き換え制限記録メディアであることを示していると、当該書き換え制限記録メディアに適合する状態に前記撮像装置における撮影設定を変更する第１の設定手段とを有することを特徴とする撮像装置。
【請求項２】
前記撮像装置には複数の前記外部記録メディアが装着可能であり、
前記画像データの保存先が変更されると、当該保存先が前記書き換え制限記録メディアであるか否かを判定して第１の判定結果を得る第１の判定手段と、
前記第１の判定結果が前記書き換え制限記録メディアを示していると、変更前の保存先が前記書き換え制限記録メディアであるか否かを判定して第２の判定結果を得る第２の判定手段と、
前記第２の判定結果が前記書き換え制限記録メディアでないことを示していると、前記保存先である前記書き換え制限記録メディアに適合する状態に前記撮影設定を変更する第２の設定手段とを有することを特徴とする請求項１記載の撮像装置。
【請求項３】
撮影の結果得られた画像データが記録される外部記録メディアが装着される撮像装置において、
前記撮像装置には複数の前記外部記録メディアが装着可能であり、
前記画像データの保存先が変更されると、当該保存先が書き換えに制限が設けられた書き換え制限記録メディアであるか否かを判定して第１の判定結果を得る第１の判定手段と、
前記第１の判定結果が前記書き換え制限記録メディアを示していると、変更前の保存先が前記書き換え制限記録メディアであるか否かを判定して第２の判定結果を得る第２の判定手段と、
前記第２の判定結果が書き換え制限記録メディアでないことを示していると、前記保存先である当該書き換え制限記録メディアに適合する状態に前記撮像装置における撮影設定を変更する設定手段とを有することを特徴とする撮像装置。
【請求項４】
前記保存先の変更の際、前記保存先を選択するためのカメラ設定メニューを表示する表示手段と、
前記カメラ設定メニューで選択された保存先を変更保存先として選択する選択手段とを有することを特徴とする請求項２又は３記載の撮像装置。
【請求項５】
予め規定されたメディア自動設定モードがオンされた際、前記書き換え制限記録メディアに適合する状態に前記撮影設定の変更が行われるようにしたことを特徴とする請求項１〜４いずれか１項記載の撮像装置。
【請求項６】
前記書き換え制限記録メディアに対する前記撮影設定をカスタマイズするためのカスタマイズ手段を有し、
前記書き換え制限記録メディアに適合する撮影設定は前記カスタマイズ手段によってカスタマイズされた撮影設定であることを特徴とする請求項１〜５のいずれか１項記載の撮像装置。
【請求項７】
撮影の結果得られた画像データが記録される外部記録メディアが装着される撮像装置で用いられ、前記撮像装置における撮影設定を制御する制御方法において、
前記外部記録メディアが装着された際、前記外部記録メディアの特性を確認してメディア特性情報を得る確認ステップと、
前記メディア特性情報が書き換えに制限が設けられた書き換え制限記録メディアであることを示していると、当該書き換え制限記録メディアに適合する状態に前記撮影設定を変更する設定ステップとを有することを特徴とする制御方法。
【請求項８】
撮影の結果得られた画像データが記録される外部記録メディアが装着される撮像装置に用いられ、前記撮像装置における撮影設定を制御する制御方法において、
前記撮像装置には複数の前記外部記録メディアが装着可能であり、
前記画像データの保存先が変更されると、当該保存先が書き換えに制限が設けられた書き換え制限記録メディアであるか否かを判定して第１の判定結果を得る第１の判定ステップと、
前記第１の判定結果が前記書き換え制限記録メディアを示していると、変更前の保存先が前記書き換え制限記録メディアであるか否かを判定して第２の判定結果を得る第２の判定ステップと、
前記第２の判定結果が書き換え制限記録メディアでないことを示していると、前記保存先である当該書き換え制限記録メディアに適合する状態に前記撮影設定を変更する設定ステップとを有することを特徴とする制御方法。
【請求項９】
撮影の結果得られた画像データが記録される外部記録メディアが装着される撮像装置で用いられ、前記撮像装置における撮影設定を制御する制御プログラムにおいて、
前記撮像装置に備えられたコンピュータに、
前記外部記録メディアが装着された際、前記外部記録メディアの特性を確認してメディア特性情報を得る確認ステップと、
前記メディア特性情報が書き換えに制限が設けられた書き換え制限記録メディアであることを示していると、当該書き換え制限記録メディアに適合する状態に前記撮影設定を変更する設定ステップとを実行させることを特徴とする制御プログラム。
【請求項１０】
撮影の結果得られた画像データが記録される外部記録メディアが装着される撮像装置に用いられ、前記撮像装置における撮影設定を制御する制御プログラムにおいて、
前記撮像装置には複数の前記外部記録メディアが装着可能であり、
前記撮像装置が備えるコンピュータに、
前記画像データの保存先が変更されると、当該保存先が書き換えに制限が設けられた書き換え制限記録メディアであるか否かを判定して第１の判定結果を得る第１の判定ステップと、
前記第１の判定結果が前記書き換え制限記録メディアを示していると、変更前の保存先が前記書き換え制限記録メディアであるか否かを判定して第２の判定結果を得る第２の判定ステップと、
前記第２の判定結果が書き換え制限記録メディアでないことを示していると、前記保存先である当該書き換え制限記録メディアに適合する状態に前記撮影設定を変更する設定ステップとを実行させることを特徴とする制御プログラム。
【請求項１１】
請求項９又は１０に記載の制御プログラムが記録されたコンピュータに読み取り可能な記録媒体。
【発明の詳細な説明】
【技術分野】
【０００１】
本発明は、撮像装置、その制御方法、及び制御プログラム、並びに記録媒体に関し、特に、書き換え可能回数に制限が設けられたメディア（以下、ライトワンスメディアと呼ぶ）の特性に応じた制御を行う撮像装置、その制御方法、及び制御プログラム、並びに記録媒体に関する。
【背景技術】
【０００２】
撮像装置の一つであるデジタルカメラの普及によって、ユーザは静止画像及び動画像の撮影を簡単に楽しむことができるようになっている。一般に、デジタルカメラによってユーザが撮影した静止画像又は動画像は、画像データとして、ＳＤメモリカード（以下、単にＳＤ呼ぶ）又はコンパクトフラッシュ(登録商標)メモリ（以下、単にＣＦと呼ぶ）のような外部記録メディアに記録される。
【０００３】
外部記録メディアとして、何回でも書き換え可能なメディア（以下、リライタブルメディアと呼ぶ）が普及している。リライタブルメディアを用いれば、撮影に失敗した画像データをその場で削除できるので、何度でも撮影しなおすことができる結果、ユーザは気軽に撮影を楽しむことができる。
【０００４】
さらに、リライタブルメディアを複数同時に装着可能なデジタルカメラもある。この種のデジタルカメラにおいては、動画像データ等の大容量の画像データを保存する際、空き容量が多いリライタブルメディアに自動的に振り分けて保存する機能を有しているものもある。
【０００５】
また、デジタルカメラの中には、連写モードで撮影している際には、書き込み速度が速いリライタブルメディアを自動的に選択して保存する機能を備えたものもある（例えば、特許文献１参照）。
【０００６】
一方、ライトワンスメディアは、警察等における証拠写真への利用に代表されるように、削除せずに残しておきたい画像データを記録する際に利用されている。但し、失敗した画像データ及び不必要な画像データを削除できないこともある。
【０００７】
このような削除不可を回避して快適な撮影を行えるようにするため、デジタルカメラには、所謂ブラケット撮影の画像データはリライタブルメディアに保存するようにしたものがある。そして、このデジタルカメラでは、高画質モードにおける撮影の結果得られた画像データは、ライトワンスメディアに自動的に振り分けて保存するようにしている（例えば、特許文献２参照）。
【先行技術文献】
【特許文献】
【０００８】
【特許文献１】特開２００４−２２９１７２号公報
【特許文献２】特開２００２−３００５１１号公報
【発明の概要】
【発明が解決しようとする課題】
【０００９】
ところで、ライトワンスメディアを外部記録メディアとして用いて撮影を行う際には、極力失敗画像データ及び不必要な画像データを減らす必要がある。しかしながら、実際には、撮影に当たって、無駄な撮影をしてしまうことは往々にしてあり、快適で自由な撮影を行うためには、失敗画像データ及び不必要な画像データを減らすことは困難である。
【００１０】
つまり、失敗画像データ及び不必要な画像データを減らすためには、ライトワンスメディアに合わせて、撮影モード及び画質モード等の撮影上の各種設定（以下、単に撮影設定と呼ぶ）を行う必要がある。
【００１１】
ところが、ライトワンスメディアに合わせて撮影設定を行うためには、ユーザにとって、撮影設定のための操作が煩雑であって、結果的に、失敗画像データ及び不必要な画像データを減らすことが難しいという問題点がある。
【００１２】
そこで、本発明の目的は、煩雑な操作を必要とせず、ライトワンスメディアに適合した撮影設定を自動的に行うことのできる撮像装置、その制御方法、及び制御プログラム、並びに記録媒体を提供することにある。
【課題を解決するための手段】
【００１３】
上記の目的を達成するため、本発明による撮像装置は、撮影の結果得られた画像データが記録される外部記録メディアが装着される撮像装置において、前記外部記録メディアが装着された際、前記外部記録メディアの特性を確認してメディア特性情報を得る確認手段と、前記メディア特性情報が書き換えに制限が設けられた書き換え制限記録メディアであることを示していると、当該書き換え制限記録メディアに適合する状態に前記撮像装置における撮影設定を変更する第１の設定手段とを有することを特徴とする。
【００１４】
また、本発明による撮像装置は、撮影の結果得られた画像データが記録される外部記録メディアが装着される撮像装置において、前記撮像装置には複数の前記外部記録メディアが装着可能であり、前記画像データの保存先が変更されると、当該保存先が書き換えに制限が設けられた書き換え制限記録メディアであるか否かを判定して第１の判定結果を得る第１の判定手段と、前記第１の判定結果が前記書き換え制限記録メディアを示していると、変更前の保存先が前記書き換え制限記録メディアであるか否かを判定して第２の判定結果を得る第２の判定手段と、前記第２の判定結果が書き換え制限記録メディアでないことを示していると、前記保存先である当該書き換え制限記録メディアに適合する状態に前記撮像装置における撮影設定を変更する設定手段とを有することを特徴とする。
【００１５】
本発明による制御方法は、撮影の結果得られた画像データが記録される外部記録メディアが装着される撮像装置で用いられ、前記撮像装置における撮影設定を制御する制御方法において、前記外部記録メディアが装着された際、前記外部記録メディアの特性を確認してメディア特性情報を得る確認ステップと、前記メディア特性情報が書き換えに制限が設けられた書き換え制限記録メディアであることを示していると、当該書き換え制限記録メディアに適合する状態に前記撮影設定を変更する設定ステップとを有することを特徴とする。
【００１６】
また、本発明による制御方法は、撮影の結果得られた画像データが記録される外部記録メディアが装着される撮像装置に用いられ、前記撮像装置における撮影設定を制御する制御方法において、前記撮像装置には複数の前記外部記録メディアが装着可能であり、前記画像データの保存先が変更されると、当該保存先が書き換えに制限が設けられた書き換え制限記録メディアであるか否かを判定して第１の判定結果を得る第１の判定ステップと、前記第１の判定結果が前記書き換え制限記録メディアを示していると、変更前の保存先が前記書き換え制限記録メディアであるか否かを判定して第２の判定結果を得る第２の判定ステップと、前記第２の判定結果が書き換え制限記録メディアでないことを示していると、前記保存先である当該書き換え制限記録メディアに適合する状態に前記撮影設定を変更する設定ステップとを有することを特徴とする。
【００１７】
本発明による制御プログラムは、撮影の結果得られた画像データが記録される外部記録メディアが装着される撮像装置で用いられ、前記撮像装置における撮影設定を制御する制御プログラムにおいて、前記撮像装置に備えられたコンピュータに、前記外部記録メディアが装着された際、前記外部記録メディアの特性を確認してメディア特性情報を得る確認ステップと、前記メディア特性情報が書き換えに制限が設けられた書き換え制限記録メディアであることを示していると、当該書き換え制限記録メディアに適合する状態に前記撮影設定を変更する設定ステップとを実行させることを特徴とする。
【００１８】
また、本発明による制御プログラムは、撮影の結果得られた画像データが記録される外部記録メディアが装着される撮像装置に用いられ、前記撮像装置における撮影設定を制御する制御プログラムにおいて、前記撮像装置には複数の前記外部記録メディアが装着可能であり、前記撮像装置が備えるコンピュータに、前記画像データの保存先が変更されると、当該保存先が書き換えに制限が設けられた書き換え制限記録メディアであるか否かを判定して第１の判定結果を得る第１の判定ステップと、前記第１の判定結果が前記書き換え制限記録メディアを示していると、変更前の保存先が前記書き換え制限記録メディアであるか否かを判定して第２の判定結果を得る第２の判定ステップと、前記第２の判定結果が書き換え制限記録メディアでないことを示していると、前記保存先である当該書き換え制限記録メディアに適合する状態に前記撮影設定を変更する設定ステップとを実行させることを特徴とする。
【００１９】
本発明による記録媒体は、上記の制御プログラムのいずれかが記録されたコンピュータに読み取り可能な記録媒体である。
【発明の効果】
【００２０】
以上のように、本発明によれば、外部記録メディアが書き換え制限記録メディアの場合には、自動的に当該書き換え制限メディアに適合する状態に撮像装置における撮影設定を変更するようにしたので、ユーザが煩雑な操作をすることなく、書き換え制限記録メディアに画像データを保存することができるという効果がある。
【図面の簡単な説明】
【００２１】
【図１】本発明の実施の形態による撮像装置の一例を示すブロック図である。
【図２】図１に示すデジタルカメラに外部記録メディアが装着された際の動作を説明するためのフローチャートである。
【図３】図１に示すデジタルカメラにおいて、ライトワンスメディアが画像データの保存先として指定された際の動作を説明するためのフローチャートである。
【図４】図１に示すデジタルカメラの画像表示部に表示されるカメラ設定メニューの一例を示す図である。
【図５】図１に示すデジタルカメラにおいて、ライトワンスメディアに対する撮影設定をカスタマイズするためのカスタマイズ操作画面の一例を示す図である。
【発明を実施するための形態】
【００２２】
以下、本発明の実施の形態による撮像装置の一例について、図面を参照して説明する。
【００２３】
図１は本発明の実施の形態による撮像装置の一例を示すブロック図である。図１においては、撮像装置の一つであるデジタルカメラ１００が示されているが、他の撮像装置、例えば、所謂ビデオカメラ等においても本発明に係る制御を適用することができる。
【００２４】
図１を参照して、デジタルカメラ１００は、マイクロコンピュータ（以下、ＣＰＵと呼ぶ）１０１を有しており、このＣＰＵ１０１は、不揮発性のメモリ１０７に格納されたプログラム等に応じて動作する。そして、ＣＰＵ１０１は、撮像素子（例えば、ＣＣＤ）１０２が出力する撮像信号の処理等カメラ全体の動作を制御する。
【００２５】
図示の例では、レンズ（図示せず）を介して撮像素子１０２上に結像した光学像は、撮像素子１０２によってアナログ撮像信号に変換される。そして、このアナログ撮像信号はＡ／Ｄコンバータ１０３によってデジタル撮像信号に変換される。
【００２６】
このデジタル撮像信号は直接ＣＰＵ１０１に与えられることもあるが、一旦画像データとして画像バッファメモリ１０４に蓄積された後、画像処理部１０５で必要な画像処理を受ける。そして、ＣＰＵ１０１は、画像バッファメモリ１０４及び画像処理部１０５から得た画像データに対して必要な処理を行う。
【００２７】
その後、ＣＰＵ１０１は画像データを外部記録メディア制御部１０９によって外部記録メディア１１０に保存する。この外部記録メディア１１０は、例えば、ＳＤ又はＣＦである。
【００２８】
ＣＰＵ１０１は、例えば、外部記録メディア１１０に保存された画像データについて画像表示部１０８にプレビュー表示を行う。通信制御処理部１０６は、ＣＰＵ１０１の制御下で所謂カメラ間通信処理を行うとともに、例えば、ＰＣ（パーソナルコンピュータ）との通信処理も行う。
【００２９】
外部記録メディア制御部１０９は、ＣＰＵ１０１の制御下で、デジタルカメラ１００に装着された外部記録メディア１１０の特性を検出して、メディア特性情報を得る。
【００３０】
例えば、外部記録メディア制御部１０９は、外部記録メディア１１０がリライタブルメディアか又はライトワンスメディアかであるかについて判定するとともに、外部記録メディア１１０の空き容量を検出してメディア特性情報を得る。そして、外部記録メディア制御部１０９はメディア特性情報をＣＰＵ１０１に送信する。
【００３１】
なお、ライトワンスメディアとは、書き換えに制限が設けられた書き換え制限記録メディアをいう。
【００３２】
ＣＰＵ１０１は、複数の外部記録メディア１０９がデジタルカメラ１００に装着されている場合には、メディア特性情報に応じて、後述するように、保存先の外部記録メディア１０９の切り替え制御（選択制御）を行う。さらに、ＣＰＵ１０１は、撮影モード及び画質モード等の撮影設定について制御を行う。
【００３３】
ＣＰＵ１０１はユーザインタフェース１１１からのユーザ入力に応じて画像表示部１０９にメニュー構成等を表示する。さらに、ＣＰＵ１０１はユーザインタフェース１１１に備えられたボタン操作等に応じた処理を実行する。つまり、デジタルカメラ１００の機能設定等は全てユーザインタフェース１１１によって行われることになる。
【００３４】
続いて、図１に示すデジタルカメラ１００に、外部記録メディア１０９としてライトワンスメディアが装着された際における撮影モード及び画質モード等の撮影設定の切り替えについて説明する。
【００３５】
図２は、図１に示すデジタルカメラ１００に外部記録メディア１１０が装着された際の動作を説明するためのフローチャートである。
【００３６】
図１及び図２を参照して、まず、外部記録メディア制御部１０９は、デジタルカメラ１００に外部記録メディア１１０が装着されたか否かについて検出する（ステップＳ２０１）。このステップＳ２０１は、例えば、デジタルカメラ１００の電源がオンされた際に実行される。
【００３７】
外部記録メディア１１０がデジタルカメラ１００に装着されていないと（ステップＳ２０１において、ＮＯ）、外部記録メディア制御部１０９は待機する。一方、外部記録メディア１１０がデジタルカメラ１００に装着されていると（ステップＳ２０１において、ＹＥＳ）、外部記録メディア制御部１０９は、外部記録メディア１０９の特性を検出して、メディア特性情報を得る（ステップＳ２０２）。
【００３８】
外部記録メディア制御部１０９は、メディア特性情報に応じて、当該外部記録メディア１１０がライトワンスメディアであるか否かを判定する（ステップＳ２０３）。外部記録メディア１１０がライトワンスメディアでないと（ステップＳ２０３において、ＮＯ）、外部記録メディア制御部１０９は処理を終了する。
【００３９】
一方、外部記録メディア１１０がライトワンスメディアであると（ステップＳ２０３において、ＹＥＳ）、外部記録メディア制御部１０９は、他にデジタルカメラ１００に装着されている外部記録メディア１１０があるか否かについて確認する確認処理を行う（ステップＳ２０４）。
【００４０】
そして、外部記録メディア制御部１０９は、確認処理の結果に応じて、デジタルカメラ１００に他の外部記録メディア１１０が装着されているか否かについて判定する（ステップＳ２０５）。デジタルカメラ１００に他の外部記録メディア１０９が装着されていないと（Ｓ２０５において、ＹＥＳ）、外部記録媒体制御部１０９は、外部記録メディア１０９としてライトワンスメディアがデジタルカメラ１００に装着されている旨のメディア情報をＣＰＵ１０１に通知する。これによって、ＣＰＵ１０１はライトワンスメディアに適合した状態に撮影設定を変更して、処理を終了する（ステップＳ２０６）。ここでは、撮影設定とは、例えば、ファイルフォーマット、撮影モード、及び画質モードをいう。
【００４１】
一方、デジタルカメラ１００に他の外部記録メディア１０９が装着されていると（Ｓ２０５において、ＮＯ）、外部記録メディア制御部１０９はＣＰＵ１０１に通知することなく処理を終了する。
【００４２】
ライトワンスメディアに適合した状態に撮影設定を行う際には、次のようにして設定が行われる。ＣＰＵ１０１は、画像データにおけるファイルフォーマットをＲＡＷ（Ｒｅａｄ  Ａｆｔｅｒ  Ｗｒｉｔｅ）のみとする。
【００４３】
ファイルフォーマットをＲＡＷとすると、ＲＡＷによる画像データを現像してＲＡＷ画像を得た後、ＪＰＥＧ画像を生成することができる。つまり、ＲＡＷによる画像データのみを保存するようにすれば、外部記録メディア１０９の容量を抑えることが可能となる。
【００４４】
さらに、撮影モードにおいて連写を選択して、連写で撮影を行うと同様の画像データが複数枚得られてしまうので、ＣＰＵ１０１は、撮影モードを単写モードのみとする。そして、ＣＰＵ１０１は画質モードとして画質が最高画質（ファイン）であるモードを設定する。さらに、ＣＰＵ１０１は、ブラケット撮影（ＢＫＴ）については保存する画像データの枚数が増加してしまうため、解除する。
【００４５】
このようにして、外部記録メディア１０９としてライトワンスメディアのみがデジタルカメラ１００に装着されている場合には、ＣＰＵ１０１は自動的に撮影設定を変更して、ライトワンスメディアに適合した撮影設定に変更することになる。これによって、ユーザは煩雑な撮影設定を行うことなく、ライトワンスメディアを利用して画像データの保存ができることになる。
【００４６】
次に、デジタルカメラ１００に複数の外部記録メディア１１０が装着されている場合に、ライトワンスメディアが画像データの保存先として指定された際の動作について説明する。
【００４７】
図３は、図１に示すデジタルカメラ１００において、ライトワンスメディアが画像データの保存先として指定された際の動作を説明するためのフローチャートである。
【００４８】
図１及び図３を参照して、ここでは、図１に示すデジタルカメラ１００には複数の外部記録メディア１１０が装着されているものとする。つまり、デジタルカメラ１００には複数の外部記録メディア１１０が装着可能である。そして、ユーザは、ユーザインタフェース１１１を操作して、撮影の結果得られた画像データの保存先を複数の外部記録メディア１１０から選択することができる。
【００４９】
図４は、図１に示すデジタルカメラ１００の画像表示部１０８に表示されるカメラ設定メニューの一例を示す図である。
【００５０】
ユーザがユーザインタフェース１１１の操作によって保存先変更操作を行うと、ＣＰＵ１０１は画像表示部１０８に、例えば、図４に示すカメラ設定メニュー４０１を表示する。このカメラ設定メニュー４０１には、外部記録メディア１０９が保存先スロットとして表示されるとともに、各保存先スロットの種別４０２が表示される。
【００５１】
ユーザは、ユーザインタフェース１１１を操作して、カメラ設定メニュー４０１上から所望の保存先スロットを選択外部記録メディア１０９（変更保存先）として選択することになる。
【００５２】
再び図１及び図３を参照して、ＣＰＵ１０１は、ユーザインタフェース１１１によって画像データの保存先スロットが切り替えられたか否かについて判定する（ステップＳ３０１）。画像データの保存先スロットが変更されないと（ステップＳ３０１において、ＮＯ）、ＣＰＵ１０１は待機することになる。
【００５３】
一方、画像データの保存先スロットが変更されると（ステップＳ３０１において、ＹＥＳ）、ＣＰＵ１０１は外部記録メディア制御部１０９に選択された保存先スロット（外部記録メディア）の特性の確認を依頼する（ステップＳ３０２）。
【００５４】
この依頼に応じて、外部記録メディア制御部１０９は、選択された保存先スロットの特性を検出して、そのメディア特性情報を得る。外部記録メディア制御部１０９は、メディア特性情報に応じて、当該保存先スロットがライトワンスメディアであるか否かを判定する（ステップＳ３０３）。そして、外部記録メディア制御部１０９は第１の判定結果を得る。
【００５５】
外部記録メディア１１０がライトワンスメディアでないと（ステップＳ３０３において、ＮＯ）、外部記録メディア制御部１０９はその旨ＣＰＵ１０１に通知して処理を終了する。
【００５６】
一方、保存先スロットがライトワンスメディアであると（ステップＳ３０３において、ＹＥＳ）、外部記録メディア制御部１０９は、メディア切り替え前（変更前）の保存先スロットの特性を確認してメディア特性情報を得る（ステップＳ３０４）。
【００５７】
外部記録メディア制御部１０９は、当該メディア特性情報に応じて、メディア切り替え前（変更前）の保存先スロットはライトワンスメディアであったか否かについて判定する（ステップＳ３０５）。そして、外部記録メディア制御部１０９は、第２の判定結果を得る。
【００５８】
メディア切り替え前（変更前）の保存先スロットはライトワンスメディアでないと（ステップＳ３０５において、ＮＯ）、外部記録メディア制御部１０９は、ライトワンスメディアに保存先スロットが切り替えられた旨のメディア情報をＣＰＵ１０１に通知する。
【００５９】
これによって、ＣＰＵ１０１はライトワンスメディアに適合した撮影設定に変更して、処理を終了する（ステップＳ３０６）。
【００６０】
一方、メディア切り替え前の保存先スロットはライトワンスメディアであると（ステップＳ３０５において、ＹＥＳ）、外部記録メディア制御部１０９は、ＣＰＵ１０１にメディア切り替え前の保存先スロットはライトワンスメディアである旨のメディア情報をＣＰＵ１０１に送る。この結果、ＣＰＵ１０１は撮影設定を変更することなく処理を終了する。
【００６１】
このようにして、保存先スロットである外部記録メディアが切り替えられた際、切り替え後の保存先スロットがライトワンスメディアであれば、ＣＰＵ１０１は当該保存先に適合した撮影設定に変更する。従って、保存先スロットをライトワンスメディアに変更した際において、ユーザは煩雑な操作をすることなく、ライトワンスメディアに適した状態に撮影設定を変更することができる。
【００６２】
ところで、図２及び図３では、ライトワンスメディアに画像データを記録する際には、自動的にライトワンスメディアに適した撮影設定を行うようしたが、ライトワンスメディアが保存先スロットであっても、ユーザによっては所望の撮影設定で撮影したい場合がある。
【００６３】
このため、ユーザがユーザインタフェース１１１によって、予め規定されたメディア自動設定モードをオンオフするようにしてもよい。つまり、メディア自動設定モードがオンの場合についてのみ、図２又は図３で説明した処理が行われるようにしてもよい。
【００６４】
このように、メディア自動設定モードがオンされた場合に、ライトワンスメディアに対する撮影設定の自動的な設定を行うようにすれば、必要に応じてユーザは自動設定を選択することができる。
【００６５】
さらに、ライトワンスメディアに対する撮影設定をユーザがカスタマイズできるようにしてもよい。図５は、図１に示すデジタルカメラ１００において、ライトワンスメディアに対する撮影設定をカスタマイズするためのカスタマイズ操作画面の一例を示す図である。
【００６６】
図１及び図５を参照して、いま、ユーザがユーザインタフェース１１１の操作によってカスタマイズ指定操作を行うと、ＣＰＵ１０１は画像表示部１０８に、例えば、図５に示すカスタマイズ操作画面５０１を表示する。そして、ユーザはカスタマイズ操作画面５０１に応じてライトワンスメディアに関して撮影設定を行う。
【００６７】
図示のカスタマイズ操作画面５０１には、ライトワンスメディア撮影設定と表示され、設定番号５０２が表示される。つまり、ユーザはライトワンスメディア１０９について複数の撮影設定を行うことができ、ＣＰＵ１０１は撮影設定毎に設定番号を付加してメモリ１０７等に記憶することになる。図示の例では、設定番号５０２として”１”が表示されている。そして、設定番号毎に、撮影モード５０３及び画質モード５０４等の撮影設定が規定されることになる。
【００６８】
このようにすれば、外部記録メディア１０９としてライトワンスメディアを選択した際においても、ユーザの好みに応じて、撮影設定を行うことができることになる。この結果、ライトワンスメディアの扱いに慣れたユーザにとっては利便性が増加することになる。
【００６９】
上述の説明から明らかなように、上記の実施の形態においては、外部記録メディア制御部１０９が確認手段又は第１の判定手段及び第２の判定手段として機能することになる。また、ＣＰＵ１０１は設定手段又は第１の設定手段及び第２の設定手段として機能することになる。さらに、ＣＰＵ１０１が選択手段及びカスタマイズ手段として機能することになる。
【００７０】
以上、本発明について実施の形態に基づいて説明したが、本発明は、これらの実施の形態に限定されるものではなく、この発明の要旨を逸脱しない範囲の様々な形態も本発明に含まれる。
【００７１】
例えば、上記の実施の形態の機能を制御方法として、この制御方法を、ＣＰＵ１０１及び外部記録メディア制御部１０９に実行させるようにしてもよい。さらに、上述の実施の形態の機能を有するプログラムを制御プログラムとして、この制御プログラムを、コンピュータに実行させるようにしてもよい。この際、制御方法及び制御プログラムは、少なくとも確認ステップ、判定ステップ、及び設定ステップを有することになる。
【００７２】
また、上述した実施形態の機能を実現するソフトウェア（プログラム）を、ネットワーク又は各種のコンピュータに読み取り可能な記録媒体を介してシステム或いは装置に供給するようにしてもよい。そして、そのシステム或いは装置のコンピュータ（またはＣＰＵやＭＰＵ等）がプログラムを読み出して実行する処理ようにしてもよい。
【符号の説明】
【００７３】
１００  デジタルカメラ
１０１  マイクロコンピュータ（ＣＰＵ）
１０２  撮像素子
１０４  画像バッファメモリ
１０５  画像処理部
１０８  画像表示部
１０９  外部記録メディア制御部
１１０  外部記録メディア
１１１  ユーザインタフェース
【図１】
2014197797.tif 000003
【図２】
2014197797.tif 000004
【図３】
2014197797.tif 000005
【図４】
2014197797.tif 000006
【図５】
2014197797.tif 000007